(57)【特許請求の範囲】
【請求項１】
コンピュータ制御による表示画面を含む手段を用いた対話方式によって、眼鏡の玉型デザインを操作者が選定する方法であって、
多数の玉型デザインデータを格納し、各玉型デザインデータに、それぞれ分類のための少なくとも２つのキーワードを付与してなるデータベースであって、
前記各玉型デザインデータに付与される前記キーワードは、予め複数のグループの項目ごとに並列的に設けられた複数のキーワードの中から、前記各玉型デザインデータにそれぞれ該当するキーワードとして決定し、前記各グループの項目ごとに振り分けて前記各玉型デザインデータに付与されるキーワードである、データベースを用い、
前記表示画面に従って操作者の意図するキーワードを前記各グループの項目ごとに選択して入力して前記データベースを検索し、該キーワードの積集合に対応した玉型デザインデータを抽出することを特徴とする眼鏡の玉型デザインの選定方法。
【請求項２】
前記データベースにおいて前記各玉型データに付与される少なくとも２つのキーワードは、下記工程を順次行うことによって付与されるものであることを特徴とする請求項１記載の眼鏡の玉型デザインの選定方法。
（１）複数のキーワードが、予め、系統の違う複数のグループに大別され、それぞれのグループの項目の下にはさらに複数のグループの項目が並列して設けられ、これらグループの項目の下に複数のキーワードが並列的に設けられて全体でツリー構造をなすようにグループの項目ごとに分類される。
（２）前記複数のキーワードが並列的に設けられたグループの項目ごとに、その複数のキーワードのうち前記各玉型デザインデータに該当するキーワードを選び、前記各グループの項目ごとにキーワードを振り分けて決定し、その玉型デザインデータに付与する。
【請求項３】
前記系統の違う複数のグループが、第１の大グループと第２の大グループとを含むものであり、前記第１の大グループは、一般的な消費者の感性に基づいて決められたキーワードをまとめるグループであり、前記第２の大グループは、専門家の考えに基づいて決められたキーワードをまとめるグループであることを特徴とする請求項２記載の眼鏡の玉型デザイン選定方法。
【請求項４】
前記第１の大グループの項目の下には、ファッションイメージ、形状、及び、タイプ、の各小項目からなる３つの小グループが少なくとも設けられていることを特徴とする請求項３記載の眼鏡の玉型デザイン選定方法。
【請求項５】
前記ファッションイメージの項目のグループには、フォーマル、ビジネス、カジュアル、及び、スポーツ、のキーワードが少なくとも含まれており、
前記形状の項目のグループには、丸、楕円、四角、長方形、及び、三角、のキーワードが少なくとも含まれており、
前記タイプの項目のグループには、メンズ、レディース、及び、ユニセックスのキーワードが少なくとも含まれていることを特徴とする請求項４記載の眼鏡の玉型デザイン選定方法。
【請求項６】
前記第２の大グループの項目の下には、願望、顔型、及び、機能、の各小項目からなる３つの小グループが少なくとも設けられていることを特徴とする請求項３記載の眼鏡の玉型デザイン選定方法。
【請求項７】
前記願望の項目のグループには、知的に見せたい、細く見せたい、エレガントに見せたい、やさしく見せたい、快活に見せたい、及び、かわいらしく見せたい、のキーワードが少なくとも含まれており、
前記顔型の項目のグループには、丸い顔向き、大きい顔向き、小さい顔向き、及び、長い顔向き、のキーワードが少なくとも含まれており、
前記機能の項目のグループには、強度レンズ向き、累進レンズ向き、中近レンズ向き、近用レンズ向き、及び、軽くなる形状、のキーワードが少なくとも含まれていることを特徴とする請求項６記載の眼鏡の玉型デザイン選定方法。
【請求項８】
コンピュータ制御による表示画面を含む手段を用いた対話方式によって、眼鏡の玉型デザインを操作者が選定する装置であって、
多数の玉型デザインデータを格納し、各玉型デザインデータに、それぞれ分類のための少なくとも２つのキーワードを付与してなるデータベースであって、
前記各玉型デザインデータに付与される前記キーワードは、予め複数のグループの項目ごとに並列的に設けられた複数のキーワードの中から、前記各玉型デザインデータにそれぞれ該当するキーワードとして決定し、前記各グループの項目ごとに振り分けて前記各玉型デザインデータに付与されるキーワードである、データベースと、
前記表示画面に従って操作者の意図するキーワードを前記各グループの項目ごとに選択して入力するキーワード入力手段と、
キーワードの入力に応答して前記データベースを検索し、該キーワードの積集合に対応した玉型デザインデータを抽出する手段とを備えたことを特徴とする眼鏡の玉型デザインの選定装置。
【発明の詳細な説明】
【０００１】
【発明の属する技術分野】
本発明は、コンピュータ制御による表示画面を含む手段を用いた対話方式によって、眼鏡の玉型のデザインを操作者が選定していく眼鏡の玉型デザインの選定方法及び装置に関する。
【０００２】
【従来の技術】
従来より、コンピュータグラフィックス手法等を用いて、眼鏡装用者の肖像（顔面画像）をコンピュータに取り込んで、予め定められた手順によってその顔面造作の特徴をとらえて解析し、この解析結果を予め定められたデザインルールにあてはめて眼鏡形状をデザインする方法が提案されている（例えば、特開平５−３５８２７号公報、特開平７−１６８８７５号公報参照）。
【０００３】
上述の従来の方法は、眼鏡装用者の顔面造作の差異がほとんど考慮されずに眼鏡のデザインが決定されがちであったそれまでの一般的な方法に比較すると、眼鏡装用者の顔面造作の特徴をコンピュータ解析するので、その顔面造作に合った眼鏡デザインを得る可能性を高めることができる。
【０００４】
【発明が解決しようとする課題】
ところで、上述の方法は、顔面造作の特徴の解析や、その特徴に合うデザインを選定する手順を、主としてコンピュータが行うものである。換言すると、この方法においては、顔面造作の特徴解析や、この解析した特徴にフィットするデザインを決定しているのは、結局のところ、デザイナーやプログラマー等のシステムソフト作成者であるということになる。したがって、得られるデザインは、システムソフト作成者の感性や考え方に大きく依存することになることは避けられない。
【０００５】
しかしながら、デザインの好みは人によって千差万別であり、特定のデザイナーの感性が全ての人に受け入れられることはむしろ考えにくいことである。それゆえ、上記従来の方法は、デザイナーの感性等が良い方向に作用した場合には満足な結果が得られるが、同時に逆の場合が生じる可能性も少なからず考えられる。しかも、上記の方法は、主要な手順が全てコンピュータによって定められているので、操作者の選択の余地はほとんどない。
【０００６】
本発明は、上記事情を考慮し、操作者が自分のイメージするキーワードを入力することにより、操作者自身の希望するイメージに近い玉型デザインを、多数のサンプルの中から選定することのできる眼鏡の玉型デザインの選定装置を提供することを目的とする。
【０００７】
【課題を解決するための手段】
請求項１の発明は、コンピュータ制御による表示画面を含む手段を用いた対話方式によって、眼鏡の玉型デザインを操作者が選定する方法であって、
多数の玉型デザインデータを格納し、各玉型デザインデータに、それぞれ分類のための１つ以上のキーワードを付与してなるデータベースを用い、
前記表示画面に従って操作者の意図するキーワードを入力して前記データベースを検索し、該キーワードを含む玉型デザインデータを抽出することを特徴とする。
請求項２の発明は、コンピュータ制御による表示画面を含む手段を用いた対話方式によって、眼鏡の玉型デザインを操作者が選定する装置であって、多数の玉型デザインデータを格納し、各玉型デザインデータに、それぞれ分類のための１つ以上のキーワードを付与してなるデータベースと、表示画面に従って操作者の意図するキーワードを入力するキーワード入力手段と、キーワードの入力に応答してデータベースを検索し、キーワードを含む玉型デザインデータを抽出する検索手段とを備えたことを特徴とする。
【０００８】
請求項３の発明は、請求項２において、前記検索手段が、キーワードが複数入力された際にキーワードの積集合に対応した玉型デザインデータを抽出することを特徴とする。
【０００９】
請求項４の発明は、請求項２または３において、前記各玉型デザインデータに付与されるキーワードが少なくとも２つあり、そのうちの１つのキーワードが予め区分された複数のグループのうちの第１のグループに属し、他の１つのキーワードが第１のグループとは異なる第２のグループに属するものであることを特徴とする。
【００１０】
【発明の実施の形態】
以下、本発明の実施形態を図面に基づいて説明する。
実施形態の玉型デザインの選定装置１は、コンピュータ制御による表示画面を含む手段を用いた対話方式によって、眼鏡の玉型デザインを操作者が選定する装置であり、図１に示すようにデータベース２と、コンピュータ本体である演算装置（検索手段に相当）３と、画面表示のためのディスプレイ４と、キーボードやポインティングデバイス等の入力装置（キーワード入力手段に相当）５とを備えている。
【００１１】
データベース２には、多数（例えば１００〜２００種以上）の玉型デザインデータが格納されており、各データには、分類のための２つ以上のキーワードが付与されている。キーワードは、系統の違う２つの大グループに大別されており、１つのデータには、各大グループに属するキーワードが、少なくとも１個以上（本例では３個）ずつ付けられている。
【００１２】
第１の大グループは、一般的な消費者の感性等に基づいてネーミングしたキーワード（一般的な選定のためのキーワード）をまとめるグループで、第１の大グループの項目の下には３つの小グループの項目が並列して設けられ、各小グループの項目の下に複数のキーワードが並列的に設けられ、全体でツリー構造をなしている。また、第２の大グループは、専門家の考え等に基づいてネーミングしたキーワード（技術的な選定のためのキーワード）をまとめるグループで、第２の大グループの項目の下には３つの小グループの項目が並列して設けられ、各小グループの項目の下に複数のキーワードが並列的に設けられ、全体でツリー構造をなしている。
【００１３】
「一般的な選定」を行うための第１の大グループ内のキーワードの具体的な分類の仕方は次の通りである。小項目として、（１）ファッションイメージ、（２）形状、（３）タイプの３つの小グループが設けられており、各小グループ毎に以下のキーワードが振り分けられている。
【００１４】
（１）ファッションイメージ
・フォーマル
・ビジネス
・カジュアル
・スポーツ
【００１５】
（２）形状
・丸・楕円（ラウンド、オーバル）
・四角（ウェリントン）
・長方形（スクウェア）
・三角（ティアドロップ、ボストン）
・その他
【００１６】
（３）タイプ
・メンズ
・レディース
・ユニセックス
【００１７】
「技術的な選定」を行うための第２の大グループ内のキーワードの具体的な分類の仕方は次の通りである。小項目として、（１）願望、（２）顔型、（３）機能の３つの小グループが設けられており、各小グループ毎に以下のキーワードが振り分けられている。
【００１８】
（１）願望
・知的に見せたい
・細く見せたい
・エレガントに見せたい
・やさしく見せたい
・快活に見せたい
・かわいらしく見せたい
【００１９】
（２）顔型
・丸い顔向き
・大きい顔向き
・小さい顔向き
・長い顔向き
【００２０】
（３）機能
・強度レンズ向き
・累進レンズ向き
・中近レンズ向き
・近用レンズ向き
・軽くなる形状
【００２１】
各玉型デザインとキーワードの関係は、第１の大グループについては、専門知識のない一般消費者の意見に基づいて決める。また、第２の大グループについては、デザイナーや眼鏡アドバイザー等の専門家の意見に基づいて決める。やり方としては、例えばある玉型デザインの「ファッションイメージ」を決める場合、その玉型を提示し、その玉型を見て感じるファッションイメージを、「フォーマル」、「ビジネス」、「カジュアル」、「スポーツ」の４つの因子について、合計１０ポイントとなるように採点してもらう。そして、最もポイントの高い因子を、ファッションイメージの項目のキーワードとして決定し、そのキーワードを該当する玉型デザインのデータに付ける。
【００２２】
このように各項目ごとにキーワードを振り分けて付けることになるので、データベース２に格納されている１つの玉型デザインデータには、２つのグループの各３個のキーワードが付くことになる。
【００２３】
演算装置３は、これらのキーワードが入力装置５により入力された場合、データベース２にアクセスして検索を実行し、該当するキーワードを含む玉型デザインデータを全て抽出する。この場合、キーワードが最大で３個入力されるので、キーワードの積集合に対応した玉型デザインデータを絞り込んで抽出し、ディスプレイ４に表示させる。
【００２４】
次に一連の操作及び作用について述べる。
図２、図３はディスプレイ４に表示される画面１０を示す。
初期画面で「一般的な選定」または「技術的な選定」を選ぶ。「一般的な選定」を選ぶと図２の画面１０Ａになり、「技術的な選定」を選ぶと図３の画面１０Ｂになる。図２の画面１０Ａから図３の画面１０Ｂに変更する場合、またはその逆に変更する場合は、選択キー１１をクリックする。
【００２５】
図２に示すように、「一般的な選定」の画面１０Ａでは、ファッションイメージ１２、形状１３、タイプ１４の３つの項目についてそれぞれキーワード１２ａ〜、１３ａ〜、１４ａ〜のメニューが表示されるので、ポインタを合わせていずれかのキーワードを選択する。選択した内容でＯＫであれば、「ＯＫキー」１６をクリックする。そうすると、検索が開始される。検索結果が出ると、画面１０Ａの肖像２０に玉型デザインが表示される。選択した内容をキャンセルしたい場合は、「キャンセルキー」１７をクリックすればよい。
【００２６】
同様に、図３に示すように、「技術的な選定」の画面１０Ｂでは、願望２２、顔型２３、機能２４の３つの項目についてそれぞれキーワード２２ａ〜、２３ａ〜、２４ａ〜のメニューが表示されるので、ポインタを合わせていずれかのキーワードを選択する。選択した内容でＯＫであれば、「ＯＫキー」１６をクリックする。そうすると、検索が開始され、検索結果が出ると、画面１０Ａの肖像２０に玉型デザインが表示される。
【００２７】
このように、画面１０Ａ、１０Ｂを見ながらキーワードを入力するだけで、希望するイメージに近い玉型デザインを即座に抽出し、ディスプレイの画面に表示することができる。よって、操作者が自分の希望するイメージに則した玉型デザインを、自分の操作で簡単に選ぶことができる。
また、本装置の使用方法としては、単に、スタンドアローンタイプの玉型デザイン選定装置として用いるほかに、例えば、眼鏡シミュレーション装置、検眼装置等の各種装置に組み込んだり、眼鏡オーダーメイドシステム等のシステムに接続してネットワークを組んだりしてして使用することができる。
【００２８】
【発明の効果】
以上説明したように、本発明によれば、キーワード付きの多数の玉型デザインデータをデータベースに格納しておくだけで、複雑な形状変更等の作業を全く行わずに、操作者のイメージに近い玉型デザインを容易に選定することができる。従って、各玉型デザインにキーワードを付ける際に、幅広く意見や考えを反映させておけば、デザイナーやプログラマー等の限られた特定の人の考えに拘束されずに、自由に自分の嗜好に合ったデザインを選ぶことができる。
【図面の簡単な説明】
【図１】本発明の実施形態の構成を示すブロック図である。
【図２】本発明の実施形態における画面の内容を示す図である。
【図３】本発明の実施形態における他の画面の内容を示す図である。
【符号の説明】
１  玉型デザイン選定装置
２  データベース
３  演算装置（検索手段）
５  入力装置（キーワード入力手段）
１０，１０Ａ，１０Ｂ  画面
１２ａ〜，１３ａ〜，１４ａ〜，２２ａ〜，２３ａ〜，２４ａ〜  キーワード
【図１】
0004072836.tif 000002
【図２】
0004072836.tif 000003
【図３】
0004072836.tif 000004